(57)【特許請求の範囲】
【請求項１】
長さ方向の分割線をもって幅方向中央部で２つの第１及び第２の領域に区画された複数の長尺ユニットが、互いに隣接するように係合されながら、その第１の領域のみが下地板に貼着されている床構造についての補修方法であって、
補修対象となる長尺ユニットを分割線に沿って切断加工して、第１及び第２の領域に二分割し、貼着されていない領域を前記下地板から除去すると共に、貼着されている領域を剥離して除去し、
該下地板の補修箇所に、貼着剤を施工すると共に、新規の長尺ユニットを分割線に沿って刃物加工して、分割線をもって折曲自在とし、
前記下地板の補修箇所に、前記新規の長尺ユニットを山形に折り曲げながら配置した後、平坦に押し広げることを特徴とする床の補修方法。
【請求項２】
請求項１に記載の床の補修方法において、
前記下地板の補修箇所に、前記貼着剤として、前記長尺ユニットの分割線の裏面に対応して、両面テープを貼着することを特徴とする床の補修方法。
【請求項３】
請求項１に記載の床の補修方法において、
前記長尺ユニットの両長辺には、該長尺ユニットを相互に係合するための本実加工が施されていることを特徴とする床の補修方法。
【請求項４】
長さ方向の分割線をもって幅方向中央部で２つの第１及び第２の領域に区画された複数の長尺ユニットが、互いに隣接するように係合されながらその第１の領域のみが下地板に貼着されていることを特徴とする床構造。
【発明の詳細な説明】
【０００１】
【発明の属する技術分野】
この発明は、補修すべき床の長尺ユニットのみを交換することができ、補修施工が極めて簡易であり、補修コストを著しく低減した床の補修方法及び床構造に関する。
【０００２】
【従来の技術】
戸建、マンション等においては、多数の長尺ユニットからなる木質系の床材が下地板に貼着されている。各長尺ユニットは、装飾・意匠の点から幅方向中央部に長さ方向に延びるＶ溝が形成されていると共に、長辺及び短辺の４側面には、長尺ユニットを相互に係合するための本実加工が施されている。また、その裏面側には、防音性や緩衝性の点から不織布等の裏面材が貼着されている。
【０００３】
これら多数の長尺ユニットは、その施工時には、互いに隣接しながら下地板に並列されて、その裏面が接着剤や釘等により下地板に完全に固定されている。
【０００４】
【発明が解決しようとする課題】
しかしながら、１つの長尺ユニットのみに損傷が生じて、その長尺ユニットのみを補修すれば良いような場合、上述したように、多数の長尺ユニットの裏面が接着剤や釘等により下地板に完全に貼着されていると、補修すべき長尺ユニットのみならず、周囲の複数の長尺ユニットを下地板から剥離するか、又は全ての長尺ユニットを剥離し、この剥離したもの全てについて再施工する必要がある。
また、このように比較的大量の長尺ユニットを廃棄する必要があることから、廃棄物処理が大量となり、環境にとっても好ましくないといったことがある。
【０００５】
従って、補修すべき長尺ユニットのみを交換することができず、補修施工が極めて煩雑であり、また、補修コストの高騰を招くといったこともある。
【０００６】
この発明は、このような事情に考慮してなされたもので、その目的は、補修すべき長尺ユニットのみを交換することができ、補修施工が極めて簡易であり、補修コストを著しく低減した床の補修方法及び床構造を提供することにある。
【０００７】
【課題を解決するための手段】
上記目的を発生するために、この発明は以下の手段を提案している。
請求項１に係る床の補修方法は、長さ方向の分割線をもって幅方向中央部で２つの第１及び第２の領域に区画された複数の長尺ユニットが、互いに隣接するように係合されながら、その第１の領域のみが下地板に貼着されている床構造についての補修方法であって、補修対象となる長尺ユニットを分割線に沿って切断加工して、第１及び第２の領域に二分割し、貼着されていない領域を前記下地板から除去すると共に、貼着されている第２の領域を剥離して除去し、該下地板の補修箇所に、貼着剤を施工すると共に、新規の長尺ユニットを分割線に沿って刃物加工して、分割線をもって折曲自在とし、前記下地板の補修箇所に、前記新規の長尺ユニットを山形に折り曲げながら配置した後、平坦に押し広げることを特徴とする。
この発明に係る床の補修方法によれば、補修対象となる長尺ユニットを除去する際には、補修対象の長尺ユニットが分割線に沿って切断加工されて、第１及び第２の領域に二分割され、貼着されていない領域を下地板から除去すると共に、貼着されている領域を剥離・除去されているため、補修対象の長尺ユニットのみを極めて簡易に除去することができる。
新規の長尺ユニットを施工する際には、下地板の補修箇所に、貼着剤が施工されると共に、新規の長尺ユニットが分割線に沿って刃物加工されて、分割線をもって折曲自在にされ、下地板の補修箇所に、新規の長尺ユニットが山形に折り曲げながら配置された後、平坦に押し広げられているため、新規の長尺ユニットを極めて簡易に施工することができる。従って、補修すべき長尺ユニットのみを交換することができ、補修施工を極めて簡易にすることができ、補修コストを著しく低減することができる。また、補修すべき長尺ユニットのみを交換することができるため、廃棄物処理を少量にでき、環境にも好適にすることができる。
【０００８】
請求項２に係る床の補修方法は、請求項１に記載の床の補修方法において、前記下地板の補修箇所に、前記貼着剤として、前記長尺ユニットの分割線の裏面に対応して、両面テープを貼着することを特徴とする。
この発明に係る床の補修方法によれば、両面テープを用いているため、新規の長尺ユニットを極めて簡易に下地板に貼着することができる。
【０００９】
請求項３に係る床の補修方法は、前記長尺ユニットの両長辺には、該長尺ユニットを相互に係合するための本実加工が施されていることを特徴とする。
この発明に係る床の補修方法によれば、本実加工により、長尺ユニットを相互に堅固に固定することができる。
【００１０】
請求項４に係る床構造は、長さ方向の分割線をもって幅方向中央部で２つの第１及び第２の領域に区画された複数の長尺ユニットが互いに隣接するように係合されながらその第１の領域のみが下地板に貼着されていることを特徴とする。
この発明に係る床構造は、長さ方向の分割線をもって幅方向中央部で２つの第１及び第２の領域に区画された複数の長尺ユニットが互いに隣接するように係合されながら、その第１の領域のみが下地板に貼着されているため、１つの長尺ユニットのみに損傷が生じて、その長尺ユニットのみを補修すれば良いような場合、上記のように、補修すべき長尺ユニットのみを交換することができ、補修施工を極めて簡易にすることができ、補修コストを著しく低減することができる。
【００１１】
【発明の実施の形態】
以下、図面を参照し、この発明の実施の形態について説明する。図１は、この発明の実施の形態に係る床の補修方法及び床構造を示す図であり、一般的な戸建床構造の断面図である。
図１において、土台１の上に、大引き２が載置して固定され、この大引き２の上に、根太３が載置して固定されている。根太３の上に、荒板４が敷設され、この荒板４の上に、小根太３ａを介して、例えばパーティクルボードからなる下地板５が施工され、この下地板５の上に、通称フローリングの木質系の床板６が貼着されている。
【００１２】
図２及び図３において、上述した木質系の床板６は、多数の長尺ユニット７を並列したものであり、各長尺ユニット７は、装飾・意匠の点から幅方向中央部に長さ方向に延びるＶ溝８（分割線）が形成され、このＶ溝８によって２つの第１及び第２の領域７ａ，７ｂに分割されている。
長尺ユニット７の長辺側面には、一側面に形成された雄ざね９ａと、他側面に形成された雌ざね９ｂとからなる本実加工が施されている。本実加工９ａ，９ｂにより、長尺ユニット７を相互に堅固に固定することができる。また、短辺側面にも、同様に本実加工が施されいるが、説明の便宜のため、その図示を省略している。また、長尺ユニット７の裏面側には、防音性や緩衝性の点から不織布等の裏面材１０が貼着されている。
【００１３】
図４において、このように構成した多数の長尺ユニット７を新設床構造に敷設する場合には、下地板５には、長尺ユニット７の第１の領域７ａの裏面に対応する部位にのみ、両面テープ１１が貼着される。すなわち、長尺ユニット７が本実９ａ，９ｂにより互いに隣接するように係合されながら、その第１の領域７ａのみが下地板５の両面テープ１１に貼着される。このようにして、新設床の全域にわたって、多数の長尺ユニット７が施工される。
【００１４】
上記の床構造において、長尺ユニット７に損傷が生じた場合には、その補修は次のようになされる。
まず、図５に示すように、１つの長尺ユニット７のみに損傷が生じて、その長尺ユニット７のみを補修する場合には、補修対象となる長尺ユニット７を除去すべく、補修対象の長尺ユニット７をカッター１２によりＶ溝８に沿って切断加工し、第１及び第２の領域７ａ，７ｂに二分割する。
【００１５】
次に、この長尺ユニット７の貼着されていない第２の領域７ｂを除去する。この場合、第２の領域７ｂは下地板５に貼着されていないため、その除去作業を容易に行うことができる。また、下地板５に貼着されている第１の領域７ａは、図６に示すように、仮想線で示すように撓ませる等して、下地板５の両面テープ１１から剥離して除去する。このようにして、補修対象の長尺ユニット７のみを極めて簡易に除去することができる。
【００１６】
次に、新規の長尺ユニット７を施工する際には、図７に示すように、下地板５の補修箇所に、長尺ユニット７のＶ溝８の裏面に対応して、両面テープ１３を貼着する。この両面テープ１３を用いているため、後述するように、新規の長尺ユニット７を極めて簡易に下地板５に貼着することができる。
【００１７】
また、図８に示すように、新規の長尺ユニット７をＶ溝８に沿ってカッター１２により切加工し、Ｖ溝８をもって折曲自在とする。なお、不織布の裏面材１０は、カッター１２により切断しない。また、図示していない短辺側面の本実の雄ざねは、この補修施工の場合には除去しておく。
【００１８】
そして、図９、図１０に示すように、下地板５の補修箇所に、新規の長尺ユニット７を山形に折り曲げながら配置する。折曲されているＶ溝８内に、接着剤を塗布するようにしてもよい。
次に、新規の長尺ユニット７を、プラスチックハンマー１４等によって叩打等し、本実９ａ，９ｂを隣接する長尺ユニットの本実に嵌合して相互に堅固に固定する。これにより、長尺ユニット７が平坦に押し広げられて、新規の長尺ユニット７は下地板５に貼着される。
上記の工程により、補修施工が終了する。このように、新規の長尺ユニット７を極めて簡易に施工することができる。
【００１９】
以上から、本実施の形態では、補修すべき長尺ユニット７のみを交換することができ、補修施工を極めて簡易に行うことができ、補修コストを著しく低減することができる。
また、補修すべき長尺ユニット７のみを交換することができるため、廃棄物処理を少量にでき、環境にも好適にすることができる。
【００２０】
なお、本発明は、上述した実施の形態に限定されず、種々変形可能である。例えば、本実は、これに限らず、あいじゃくり等のその他の係合手段であってもよい。
【００２１】
【発明の効果】
以上説明したように、請求項１に係る発明によれば、補修対象となる長尺ユニットを除去する際には、補修対象となる長尺ユニットが分割線に沿って切断加工されて、第１及び第２の領域に二分割され、貼着されていない領域が下地板から除去されると共に、貼着されている領域が剥離・除去されるため、補修対象の長尺ユニットのみを極めて簡易に除去することができる。
新規の長尺ユニットを施工する際には、下地板の補修箇所に、貼着剤が施工されると共に、新規の長尺ユニットが分割線に沿って刃物加工されて、分割線をもって折曲自在にされ、下地板の補修箇所に、新規の長尺ユニットが山形に折り曲げながら配置された後、平坦に押し広げられているため、新規の長尺ユニットを極めて簡易に施工することができる。従って、補修すべき長尺ユニットのみを交換することができ、補修施工を極めて簡易にすることができ、補修コストを著しく低減することができる。また、補修すべき長尺ユニットのみを交換することができるため、廃棄物処理を少量にでき、環境にも好適にすることができる。
【００２２】
請求項２に係る発明によれば、両面テープを用いているため、新規の長尺ユニットを極めて簡易に下地板に貼着することができる。
【００２３】
請求項３に係る発明によれば、本実加工により、長尺ユニットを相互に堅固に固定することができる。
【００２４】
請求項４に係る発明によれば、長さ方向の分割線をもって幅方向中央部で２つの第１及び第２の領域に区画された複数の長尺ユニットが互いに隣接するように係合されながら、その第１の領域のみが下地板に貼着されているため、１つの長尺ユニットのみに損傷が生じて、その長尺ユニットのみを補修すれば良いような場合、上記のように、補修すべき長尺ユニットのみを交換することができ、補修施工を極めて簡易にすることができ、補修コストを著しく低減することができる。
【図面の簡単な説明】
【図１】  この発明の実施の形態に係る床の補修方法及び床構造を示す図であり、一般的な戸建床構造の断面図である。
【図２】  この発明の実施の形態に係る床の補修方法及び床構造に用いる長尺ユニットの斜視図である。
【図３】  この発明の実施の形態に係る床の補修方法及び床構造に用いる長尺ユニットの側面図である。
【図４】  この発明の実施の形態に係る床構造の平面図である。
【図５】  この発明の実施の形態に係る床の補修方法の一工程を示す図であり、補修対象となる長尺ユニットを切断する際の斜視図である。
【図６】  この発明の実施の形態に係る床の補修方法の一工程を示す図であり、補修対象となる長尺ユニットを二分割した際の斜視図である。
【図７】  この発明の実施の形態に係る床の補修方法の一工程を示す図であり、補修対象となる長尺ユニットを除去した際の斜視図である。
【図８】  この発明の実施の形態に係る床の補修方法の一工程を示す図であり、新規の長尺ユニットを刃物加工する際の斜視図である。
【図９】  この発明の実施の形態に係る床の補修方法の一工程を示す図であり、下地板の補修箇所に新規の長尺ユニットを配置する際の斜視図である。
【図１０】  この発明の実施の形態に係る床の補修方法の一工程を示す図であり、下地板の補修箇所に新規の長尺ユニットを配置する際の側面図である。
【符号の説明】
６  木質系の床板
７  長尺ユニット
７ａ  第１の領域
７ｂ  第２の領域
８  Ｖ溝（分割線）
９ａ  雄ざね（本実）
９ｂ  雌ざね（本実）
１３  両面テープ（貼着剤）
【図１】
0003892285.tif 000002
【図２】
0003892285.tif 000003
【図３】
0003892285.tif 000004
【図４】
0003892285.tif 000005
【図５】
0003892285.tif 000006
【図６】
0003892285.tif 000007
【図７】
0003892285.tif 000008
【図８】
0003892285.tif 000009
【図９】
0003892285.tif 000010
【図１０】
0003892285.tif 000011